(57)【要約】【課題】間欠的に配置された複数の圧搾部を有する吸収体であって、横方向に皺が形成されにくい吸収体を含む吸収性物品を提供する。【解決手段】吸収性物品１０は、前側域Ｓ１と、後側域Ｓ３と、前側域と後側域との間の股下域Ｓ２と、前側域と後側域とを結ぶ前後方向Ｌと、前後方向に交差する幅方向Ｗと、吸収体４０と、を有する。吸収体は、少なくとも一方向に延びる圧搾部８０を有する複数の圧搾ラインＥＬを有する。複数の圧搾ラインＥＬのうちの少なくとも１つは、圧搾部８０と、圧搾部８０どうしの間の非圧搾部８６と、を有する。少なくとも股下域において、非圧搾部８６は、幅方向Ｗから見て、非圧搾部８６が属する圧搾ラインＥＬとは異なる圧搾ラインＥＬの圧搾部８０と重複する位置に設けられている。【選択図】図２
2020000758.tif 000002
【特許請求の範囲】
【請求項１】
前側域と、
後側域と、
前記前側域と前記後側域との間の股下域と、
前記前側域と前記後側域とを結ぶ前後方向と、
前記前後方向に交差する幅方向と、
吸収体と、を有し、
前記吸収体は、少なくとも一方向に延びる圧搾部を有する複数の圧搾ラインを有し、
前記複数の圧搾ラインのうちの少なくとも１つは、前記圧搾部と、前記圧搾部どうしの間の非圧搾部と、を有し、
少なくとも前記股下域において、前記非圧搾部は、前記幅方向から見て、前記非圧搾部が属する前記圧搾ラインとは異なる前記圧搾ラインの前記圧搾部と重複する位置に設けられている、吸収性物品。
【請求項２】
前記複数の圧搾ラインのうちの第１圧搾ラインの前記非圧搾部は、前記第１圧搾ラインに隣接する第２圧搾ラインの前記圧搾部と重複する位置に設けられている、請求項１に記載の吸収性物品。
【請求項３】
前記圧搾ラインにおいて前記圧搾部と前記非圧搾部との境界線は、前記幅方向に関して傾斜している、請求項１又は２に記載の吸収性物品。
【請求項４】
前記複数の圧搾ラインの少なくとも一部は、前記幅方向に関して傾斜している、請求項１から３のいずれか１項に記載の吸収性物品。
【請求項５】
前記複数の圧搾ラインのうちの互いに隣接する圧搾ラインは、前記吸収体を複数の格子状のセルに区画するよう波形に湾曲又は屈曲している、請求項１から４のいずれか１項に記載の吸収性物品。
【請求項６】
互いに隣接する前記圧搾ラインのうちの少なくとも一方は、互いに交差又は最隣接する箇所において、前記非圧搾部を有する、請求項１から５のいずれか１項に記載の吸収性物品。
【請求項７】
前記圧搾ラインは、互いに交差又は最隣接する箇所以外の箇所に、前記非圧搾部を有する、請求項６に記載の吸収性物品。
【請求項８】
前記圧搾ラインに沿った前記非圧搾部の長さは、前記圧搾ラインに交差する方向における前記圧搾部の幅以上である、請求項１から７のいずれか１項に記載の吸収性物品。
【請求項９】
前記圧搾ラインに沿った前記非圧搾部の長さは、前記圧搾ラインに交差する方向における前記圧搾部の幅よりも小さい、請求項１から７のいずれか１項に記載の吸収性物品。
【請求項１０】
互いに隣接する前記圧搾ラインにおける前記非圧搾部どうしの前記前後方向における距離は、それぞれの前記非圧搾部の前記圧搾ラインに沿った長さのうち長い方よりも短い、請求項１から９のいずれか１項に記載の吸収性物品。
【請求項１１】
互いに隣接する前記圧搾ラインにおける前記非圧搾部どうしの前記前後方向における距離は、それぞれの前記非圧搾部の前記圧搾ラインに沿った長さのうち長い方よりも長い、請求項１から９のいずれか１項に記載の吸収性物品。
【請求項１２】
互いに隣接する前記圧搾ラインのうちの少なくとも一方は、互いに交差又は最隣接する箇所に設けられた第１圧搾部と、互いに交差又は最隣接する箇所以外の箇所に設けられた第２圧搾部と、を有し、
前記第１圧搾部の深さは、前記第２圧搾部の深さよりも深い、請求項１から１１のいずれか１項に記載の吸収性物品。
【請求項１３】
互いに隣接する前記圧搾ラインのうちの少なくとも一方は、互いに交差又は最隣接する箇所に設けられた複数の第１非圧搾部と、前記第１非圧搾部どうしの間に設けられた第２圧搾部と、を有し、
前記圧搾ラインに沿った前記第１非圧搾部の長さは、前記圧搾ラインに沿った前記第２圧搾部の長さよりも短い、請求項１から１１のいずれか１項に記載の吸収性物品。
【発明の詳細な説明】
【技術分野】
【０００１】
本発明は、圧搾部を有する吸収体を含む吸収性物品に関する。
【背景技術】
【０００２】
使い捨ておむつのような吸収性物品は、尿のような液体を吸収する吸収体を有する。特許文献１に記載された吸収性物品では、吸収体に格子状の圧搾溝が形成されている。吸収体に圧搾溝を形成することで，その曲げ剛性が高まり、吸収体の保型性が維持されるとされている。
【０００３】
また、特許文献１は、複数の線状の圧搾部の間に非圧搾部が形成された吸収体も開示している。すなわち、圧搾部は、間欠的な線状に形成されている。圧搾部どうしの間に非圧搾部（間欠部）を設けることで、非圧搾部（圧搾部どうしの間の隙間）を介して高吸収性ポリマーのような吸収コアが移動することができ、高吸収性ポリマーの集中を抑制できるとされている。
【先行技術文献】
【特許文献】
【０００４】
【特許文献１】特開２０１４−１００２６２号
【発明の概要】
【発明が解決しようとする課題】
【０００５】
特許文献１の図５に示すような間欠的な圧搾部では、圧搾部どうしの間の非圧搾部が幅方向に一直線に並んでいる。すなわち、圧搾部は、幅方向に一直線に延びた非圧搾部を挟んで前後方向に隣接して設けられている。これにより、幅方向に一直線に延びた非圧搾部のところで吸収体に横方向の皺が形成され易くなってしまう。吸収体に横方向の皺が形成されると、美観が損なわれるだけでなく、皺に沿って尿が移動するため尿が横から漏れてしまうこともある。
【０００６】
したがって、間欠的に配置された複数の圧搾部を有する吸収体であって、横方向に皺が形成されにくい吸収体を含む吸収性物品が望まれる。
【課題を解決するための手段】
【０００７】
一態様に係る吸収性物品は、前側域と、後側域と、前記前側域と前記後側域との間の股下域と、前記前側域と前記後側域とを結ぶ前後方向と、前記前後方向に交差する幅方向と、吸収体と、を有し、前記吸収体は、少なくとも一方向に延びる圧搾部を有する複数の圧搾ラインを有し、前記複数の圧搾ラインのうちの少なくとも１つは、前記圧搾部と、前記圧搾部どうしの間の非圧搾部と、を有し、少なくとも前記股下域において、前記非圧搾部は、前記幅方向から見て、前記非圧搾部が属する前記圧搾ラインとは異なる前記圧搾ラインの前記圧搾部と重複する位置に設けられている。
【図面の簡単な説明】
【０００８】
【図１】第１実施形態に係る肌面側から見た吸収性物品の平面図である。
【図２】第１実施形態に係る吸収体の平面図である。
【図３】図１の３Ａ−３Ａ線に沿った吸収性物品の模式的断面図である。
【図４】図２の領域４Ｒの拡大図である。
【図５】第２実施形態に係る圧搾ラインのパターンを示す模式図である。
【図６】第３実施形態に係る圧搾ラインのパターンを示す模式図である。
【図７】第４実施形態に係る圧搾ラインのパターンを示す模式図である。
【図８】第５実施形態に係る圧搾ラインのパターンを示す模式図である。
【図９】第６実施形態に係る圧搾ラインのパターンを示す模式図である。
【図１０】第７実施形態に係る圧搾ラインのパターンを示す模式図である。
【発明を実施するための形態】
【０００９】
（１）実施形態の概要
本明細書及び添付図面の記載により、少なくとも以下の事項が明らかとなる。
【００１０】
一態様に係る吸収性物品は、前側域と、後側域と、前記前側域と前記後側域との間の股下域と、前記前側域と前記後側域とを結ぶ前後方向と、前記前後方向に交差する幅方向と、吸収体と、を有し、前記吸収体は、少なくとも一方向に延びる圧搾部を有する複数の圧搾ラインを有し、前記複数の圧搾ラインのうちの少なくとも１つは、前記圧搾部と、前記圧搾部どうしの間の非圧搾部と、を有し、少なくとも前記股下域において、前記非圧搾部は、前記幅方向から見て、前記非圧搾部が属する前記圧搾ラインとは異なる前記圧搾ラインの前記圧搾部と重複する位置に設けられている。
【００１１】
本態様によれば、圧搾ラインの非圧搾部は、幅方向から見て、非圧搾部が属する圧搾ラインとは異なる圧搾ラインの圧搾部と重複する位置に設けられている。したがって、非圧搾部は幅方向に一直線に延びていない。これにより、吸収体に横方向の皺が形成されにくくなる。横方向の皺が形成されにくいため、尿のような水分が横方向の皺に沿って流れ、漏れてしまうことを抑制することができる。
【００１２】
好ましい一態様によれば、前記複数の圧搾ラインのうちの第１圧搾ラインの前記非圧搾部は、前記第１圧搾ラインに隣接する第２圧搾ラインの前記圧搾部と重複する位置に設けられている。
【００１３】
これにより、互いに隣接する圧搾ラインの非圧搾部が幅方向に並ばない、すなわち前後方向にずれて配置されるため、横方向の皺がより形成されにくくなる。
【００１４】
好ましい一態様によれば、前記圧搾ラインにおいて前記圧搾部と前記非圧搾部との境界線は、前記幅方向に関して傾斜している。
【００１５】
圧搾部と非圧搾部との境界線は、その剛性差により吸収体の折り基点になりやすい。したがって、圧搾部と非圧搾部との境界線が幅方向に関して傾斜していると、幅方向に沿った折り基点は形成されにくい。そのため、吸収体に横方向の皺がより形成されにくくなる。
【００１６】
好ましい一態様によれば、前記複数の圧搾ラインの少なくとも一部は、前記幅方向に関して傾斜している。
【００１７】
本態様によれば、吸収体が幅方向に沿ったラインを基点に折られにくくなるとともに、吸収体は、幅方向に関して傾斜したラインに沿って曲がりやすくなる。これにより、吸収体は、着用者の身体のラインにフィットするように曲がりやすくなる。
【００１８】
好ましい一態様によれば、前記複数の圧搾ラインのうちの互いに隣接する圧搾ラインは、前記吸収体を複数の格子状のセルに区画するよう波形に湾曲又は屈曲している。
【００１９】
これにより、吸収体に略格子状の圧搾部が形成されるため、吸収体の剛性を全体的に向上させることができ、吸収体の型崩れを抑制することができる。
【００２０】
好ましい一態様によれば、互いに隣接する前記圧搾ラインのうちの少なくとも一方は、互いに交差又は最隣接する箇所において、前記非圧搾部を有する。
【００２１】
複数の圧搾ラインが互いに交差又は最隣接する箇所は、複数の圧搾ラインによって囲まれる吸収体の各セルの頂点に位置する。非圧搾部がこの頂点のところに存在することにより、吸収体の緊張状態が緩み、吸収体の逃げしろが生じ得る。これにより、各セルの吸収体が硬くなり過ぎることを抑制することができる。
【００２２】
好ましい一態様によれば、前記圧搾ラインは、互いに交差又は最隣接する箇所以外の箇所に、前記非圧搾部を有する。
【００２３】
非圧搾部が、圧搾ラインの辺のところにも存在することになり、吸収体の緊張状態がより緩む。これにより、各セルの吸収体が硬くなり過ぎることをより抑制することができる。
【００２４】
好ましい一態様によれば、前記圧搾ラインに沿った前記非圧搾部の長さは、前記圧搾ラインに交差する方向における前記圧搾部の幅以上である。
【００２５】
これにより、圧搾ラインに交差する方向において圧搾ラインのところでも吸収体が湾曲しやすくなる。したがって、体にフィットするよう吸収体が曲がりやすく、肌触りが向上する。
【００２６】
好ましい一態様によれば、前記圧搾ラインに沿った前記非圧搾部の長さは、前記圧搾ラインに交差する方向における前記圧搾部の幅よりも小さい。
【００２７】
これにより、格子状の圧搾部を維持することができ、吸収体の保形性を維持することができる。また、圧搾ラインに沿った尿の拡散性の低下を抑制し、吸収体全体で尿を吸収し易くすることもできる。
【００２８】
好ましい一態様によれば、互いに隣接する前記圧搾ラインにおける前記非圧搾部どうしの前記前後方向における距離は、それぞれの前記非圧搾部の前記圧搾ラインに沿った長さのうち長い方よりも短い。
【００２９】
非圧搾部どうしの前後方向における距離が短いため、非圧搾部どうしの間で、幅方向における吸収体の緊張状態が緩む。これにより、吸収体が硬くなり過ぎることを抑制することができ、肌触りが向上する。
【００３０】
好ましい一態様によれば、互いに隣接する前記圧搾ラインにおける前記非圧搾部どうしの前記前後方向における距離は、それぞれの前記非圧搾部の前記圧搾ラインに沿った長さのうち長い方よりも長い。
【００３１】
本態様によれば、非圧搾部どうしの前後方向における距離が十分に離れているため、吸収体に横方向に沿った皺がより形成されにくくなる。
【００３２】
好ましい一態様によれば、互いに隣接する前記圧搾ラインのうちの少なくとも一方は、互いに交差又は最隣接する箇所に設けられた第１圧搾部と、互いに交差又は最隣接する箇所以外の箇所に設けられた第２圧搾部と、を有し、前記第１圧搾部の深さは、前記第２圧搾部の深さよりも深い。
【００３３】
互いに交差又は最隣接する箇所に設けられた第１圧搾部の深さを深くすることにより、圧搾部の視認性を向上させることができる。また、互いに交差又は最隣接する箇所以外の箇所に設けられた第２圧搾部の深さを浅くすることで、肌触りの低下を抑制することができる。
【００３４】
好ましい一態様によれば、互いに隣接する前記圧搾ラインのうちの少なくとも一方は、互いに交差又は最隣接する箇所に設けられた複数の第１非圧搾部と、前記第１非圧搾部どうしの間に設けられた第２圧搾部と、を有し、前記圧搾ラインに沿った前記第１非圧搾部の長さは、前記圧搾ラインに沿った前記第２圧搾部の長さよりも短い。
【００３５】
これにより、第２圧搾部は、複数の圧搾ラインが互いに交差又は最隣接する箇所どうしを繋ぐ辺のところに形成される。このような辺を形成する第２圧搾部の長さが長いため、尿のような液体が拡散し易くなり、吸収体全体で尿を吸収しやすくなる。
【００３６】
（２）第１実施形態
以下、図面を参照して、実施形態について説明する。以下の図面において、同一又は類似の部分には、同一又は類似の符号を付している。ただし、図面は模式的なものであり、各寸法の比率等は現実のものとは異なることがあることに留意すべきである。
【００３７】
図１は、一実施形態に係る肌面側から見た吸収性物品の平面図である。図２は、一実施形態に係る非肌面側から見た吸収性物品の平面図である。図３は、一実施形態に係る吸収体の平面図である。図４は、図１の４Ａ−４Ａ線に沿った吸収性物品の模式的断面図である。
【００３８】
吸収性物品１０は、使い捨ておむつや生理用ナプキンのような物品であってよい。以下では、吸収性物品１０を例に挙げて詳細に説明する。
【００３９】
吸収性物品１０は、前側域Ｓ１と、股下域Ｓ２と、後側域Ｓ３と、を有する。前側域Ｓ１は、着用者の前胴周り部（腹部分）と接する部分である。また、後側域Ｓ３は、着用者の後胴周り部（背部分）と接する部分である。股下域Ｓ２は、前側域Ｓ１と前側域Ｓ３との間に位置する。
【００４０】
本実施形態では、前側域Ｓ１から後側域Ｓ３に向かう方向を前後方向Ｌと呼ぶ。また、前後方向Ｌと直交する方向を幅方向Ｗと呼ぶ。
【００４１】
吸収性物品１０は、表面シート５０、吸収体４０、及び裏面シート６０，６２を有していてよい。表面シート５０は、１枚又は複数枚のシートによって構成されていてよい。表面シート５０は、例えば不織布のような透液性のシートによって構成されていてよい。
【００４２】
裏面シート６０，６２は、１枚又は複数枚のシートによって構成されていてよい。本実施形態では、裏面シートは、吸収体４０の非肌面側に位置する防漏シート６２と、防漏シート６２の非肌面側に位置する非肌面シート６０と、を有していてよい。防漏シート６２は、例えば不透液性のフィルムによって構成されていてよい。非肌面シート６０は、例えば不織布によって構成されていてよい。
【００４３】
吸収性物品１０は、幅方向Ｗにおける吸収体４０の両外側縁から幅方向Ｗの外側に延びるサイドシート７０を有していてもよい。サイドシート７０は、吸収体４０と重なる位置では、吸収体４０よりも肌面側に設けられていてよい。
【００４４】
本実施形態では、吸収性物品１０は、一対のファスニングテープ９０を備えている。ファスニングテープ９０は、後側域Ｓ３に設けられている。ファスニングテープ９０は、前側域Ｓ１と後側域Ｓ０とを止着する。前側域Ｓ１と後側域Ｓ３とが互いに止着されることにより、ファスニングテープ９０は、吸収性物品１０を着用者の身体に保持する。
【００４５】
上記実施形態の代わりに、吸収性物品１０は、一対のファスニングテープ９０を備えていなくてもよい。この場合、例えば吸収性物品は、パンツ型の形状を有していてよい。また、吸収性物品は、下着に貼り付けられて使用されるタイプのものであってもよい。
【００４６】
吸収体４０は、表面シート５０と防漏シート６２との間に設けられている。吸収体４０は、吸収コア４０ａと、吸収コア４０ａを包むコアラップ４０ｂと、を有していてよい。
【００４７】
吸収コア４０ａは、少なくとも股下域Ｓ２に設けられており、好ましくは股下域Ｓ２から前側域Ｓ１及び後側域Ｓ３のうち少なくともいずれか一方に向かって延びている。吸収コア４０ａは、粉砕パルプや高吸収ポリマーなどの材料を用いて構成することができる。
【００４８】
コアラップ４０ｂは、透液性のシートによって構成されている。コアラップ４０ｂは、例えばティッシュや不織布により構成されていてよい。吸収コア４０ａの肌面側のコアラップ４０ｂと、吸収コア４０ａの非肌面側のコアラップ４０ｂとは、互いに異なるシートによって構成されていてもよく、同じシートによって構成されていてもよい。
【００４９】
吸収コア４０ａの肌面側のコアラップ４０ｂは、接着剤３０ａによって吸収コア４０ａに接着されていてよい。また、吸収コア４０ａの非肌面側のコアラップ４０ｂは、接着剤３０ｂによって吸収コア４０ａに接着されていてよい。
【００５０】
吸収性物品１０は、尿の付着の有無を判別するインジケータ６８を有していてよい。インジケータ６８は、吸収体４０の非肌面側に設けられていてよい。例えば、インジケータ６８は、防漏シート６２の肌面側に設けられている。本実施形態では、インジケータ６８は、少なくとも股下域Ｓ３において、前後方向Ｌに沿って延びている。インジケータ６８は、例えば、尿の付着によって色が変化する部材によって構成されていてよい。インジケータ６８は、尿の付着によって変色することで、使用者に尿の付着の有無を知らせることができる。
【００５１】
インジケータ６８の少なくとも一部は、後述する非肌面側の圧搾部８０に密着して設けられていることが好ましい。より好ましくは、インジケータ６８は、接着剤によって、非肌面側の圧搾部８０のところでコアラップ４０ｂに接着されている。インジケータ６８の少なくとも一部が、後述する非肌面側の圧搾部８０に密着して設けられているため、インジケータ６８は吸収体４０に吸収された尿に反応しやすい。これにより、使用者は、吸収体への尿の吸収を容易に判別できるようになる。
【００５２】
吸収体４０は、少なくとも一方向に延びる圧搾部８０を有する複数の圧搾ラインＥＬを有する。複数の圧搾ラインＥＬのうちの少なくとも１つは、圧搾部８０と、圧搾部８０どうしの間の非圧搾部８６と、を有する。すなわち、圧搾ラインＥＬは、交互に並んだ圧搾部８０と非圧搾部８６とによって構成されている。
【００５３】
圧搾部８０は、吸収コア４０ａとコアラップ４０ｂとに形成されていてよい。圧搾部８０は、吸収体４０の肌面側に形成された肌面側圧搾部と、吸収体４０の非肌面側に形成された肌面側圧搾部と、を含んでいてよい。肌面側圧搾部は、吸収体４０の肌面側から非肌面側に向かって厚み方向に凹んだ部分である。非肌面側圧搾部は、吸収体４０の非肌面側から肌面側に向かって厚み方向に凹んだ部分である。ここで、非肌面側圧搾部は、吸収体４０の厚み方向Ｔにおいて肌面側圧搾部と重なる位置に設けられている。
【００５４】
圧搾ラインＥＬは、吸収体４０に格子状に形成されていてよい。すなわち、吸収体４０は、複数の圧搾ラインＥＬによって複数のセル４６に区画されていてよい。本実施形態では、複数の圧搾ラインＥＬは、前後方向Ｌ沿って延びており、幅方向に湾曲又は屈曲した波形に形成されている。互いに隣接する圧搾ラインＥＬの波形の位相は、互いに１８０°ずれている。これにより、各々のセル４６は、互いに隣接する圧搾ラインＥＬによって、略菱形状に形成されている。圧搾ラインＥＬは、少なくとも股下域Ｓ２に設けられていてよく、好ましくは吸収体の全領域に形成されていてよい。
【００５５】
少なくとも股下域Ｓ２において、非圧搾部８６は、幅方向Ｗから見て、非圧搾部８６が属する圧搾ラインＥＬとは異なる圧搾ラインＥＬの圧搾部８０と重複する位置に設けられている。言い換えると、少なくとも股下域Ｓ２においては、圧搾部８０は、前後方向Ｌの任意の位置に存在する。したがって、非圧搾部８６は幅方向Ｗに一直線に延びていない。これにより、吸収体４０に幅方向Ｗに沿った皺が形成されにくくなる。幅方向Ｗに沿った皺が形成されにくいため、尿のような水分が幅方向Ｗに沿った皺に沿って流れて漏れてしまうことを抑制することができる。
【００５６】
前後方向Ｌにおける吸収体４０の全領域において、幅方向Ｗに沿った皺が形成されにくくするという観点では、吸収体４０の全領域において、非圧搾部８６は、幅方向Ｗから見て、非圧搾部８６が属する圧搾ラインＥＬとは異なる圧搾ラインＥＬの圧搾部８０と重複する位置に設けられていることが好ましい。
【００５７】
複数の圧搾ラインＥＬのうちの第１圧搾ラインの非圧搾部８６は、第１圧搾ラインに隣接する第２圧搾ラインの圧搾部８０と重複する位置に設けられている。具体的には、ある圧搾ラインＥＬの非圧搾部８６は、それに隣接する圧搾ラインＥＬの圧搾部８０と重複する位置に設けられている。より好ましくは、複数の圧搾ラインＥＬの非圧搾部８６どうしが、幅方向Ｗに並んで設けられていない。これにより、互いに隣接する圧搾ラインＥＬの非圧搾部８６が幅方向Ｗに並ばない、すなわち前後方向Ｌにずれて配置されるため、幅方向Ｗに沿った皺がより形成されにくくなる。
【００５８】
本実施形態において、複数の圧搾ラインＥＬのうちの互いに隣接する圧搾ラインは、吸収体４０を複数の格子状のセルに区画するよう波形に湾曲又は屈曲していることが好ましい。具体的には、図４に示す態様では、ある圧搾ラインの幅方向に膨らんだ第１部分８１と第２部分８２が、隣接する圧搾ラインＥＬの幅方向に膨らんだ第３部分８３と第４部分８４に対向しており、第１部分８１、第２部分８２、第３部分８３及び第４部分８４により、吸収体４０は略菱形のセル４６に区画される。なお、セル４６の区画は、図２及び図４に示されるように、互いに隣接するセル４６どうしを圧搾部８０によって完全に分離することまでを必要としない。すなわち、互いに隣接するセル４６は、部分的に繋がっていてもよい。例えば、本実施形態では、前後方向Ｌに隣接するセル４６は、互いに隣接する圧搾ラインＥＬどうしが最も近づく微少領域を介して繋がっている。
【００５９】
吸収体４０に略格子状の圧搾部８０が形成されることにより、吸収体４０の剛性を全体的に向上させることができ、吸収体４０の型崩れを抑制することができる。
【００６０】
複数の圧搾ラインＥＬの少なくとも一部は、幅方向Ｗに関して傾斜していることが好ましい。具体的には、圧搾ラインＥＬを構成する第１部分８１、第２部分８２、第３部分８３及び第４部分８４が、それぞれ幅方向Ｗに関して傾斜している。これにより、吸収体４０が幅方向Ｗに沿ったラインを基点に折られにくくなるとともに、吸収体４０は、幅方向Ｗに関して傾斜したラインに沿って曲がりやすくなる。したがって、吸収体４０は、着用者の身体のラインにフィットするように曲がりやすくなる。
【００６１】
圧搾ラインＥＬは、互いに交差又は最隣接する箇所に位置する第１非圧搾部８６ａと、互いに交差又は最隣接する箇所以外の箇所に位置する第２非圧搾部８６ｂと、を有していてよい。
【００６２】
第１非圧搾部８６ａは、互いに隣接する圧搾ラインＥＬのうちの少なくとも一方において、互いに隣接する圧搾ラインＥＬが互いに交差又は最隣接する箇所に設けられていることが好ましい。複数の圧搾ラインＥＬが互いに交差又は最隣接する箇所は、複数の圧搾ラインＥＬによって囲まれる吸収体４０の各セル４６の頂点に位置する。第１非圧搾部８６がこの頂点のところに存在することにより、吸収体４０の緊張状態が緩み、吸収体４０の逃げしろが生じ得る。すなわち、コアラップ４０ｂが吸収コア４０ａを押さえつける力が緩和され、吸収コア４０ａが多少移動しやすくなる。これにより、各セル４６の吸収体４０が硬くなり過ぎることを抑制することができる。
【００６３】
また、第２非圧搾部８６ｂが、圧搾ラインＥＬが互いに交差又は最隣接する箇所以外の箇所に設けられている場合、第２非圧搾部８６ｂは、圧搾ラインＥＬの辺のところ、すなわち各セル４６の辺を構成するところにも存在することになる。これにより、コアラップ４０ｂが吸収コア４０ａを押さえつける力がより緩和され、吸収体４０の緊張状態がより緩和される。したがって、各セル４６の吸収体４０が硬くなり過ぎることをより抑制することができる。
【００６４】
圧搾ラインＥＬに沿った非圧搾部８６の長さＬ１は、圧搾ラインＥＬに交差する方向における圧搾部８０の幅Ｗ１よりも小さいことが好ましい。より好ましくは、少なくとも圧搾ラインＥＬに沿った第２非圧搾部８６ｂの長さＬ１が、圧搾ラインＥＬに交差する方向における圧搾部８０の幅Ｗ１よりも小さい。これにより、格子状の圧搾部８０を維持することができ、吸収体４０の保形性を維持することができる。また、圧搾ラインＥＬに沿った尿の拡散性の低下を抑制し、吸収体全体で尿を吸収し易くすることもできる。
【００６５】
また、互いに隣接する圧搾ラインＥＬにおける非圧搾部８６どうしの前後方向Ｌにおける距離Ｌ２は、それぞれの非圧搾部８６の圧搾ラインＥＬに沿った長さＬ１のうち長い方よりも長いことが好ましい。これにより、非圧搾部８６どうしの前後方向Ｌにおける距離が十分に離れるため、吸収体４０に幅方向Ｗに沿った皺がより形成されにくくなる。
【００６６】
互いに隣接する圧搾ラインＥＬのうちの少なくとも一方は、第１非圧搾部８６ａどうしの間に設けられた圧搾部（第３部分及び第４部分）８３，８４を有していてよい。この場合、圧搾ラインＥＬに沿った第１非圧搾部８６ａの長さは、圧搾ラインに沿った第３部分８３及び第４部分８４の長さよりも短いことが好ましい。これにより、比較的長く延びる圧搾部（第３部分８３及び第４部分８４）が、複数の圧搾ラインＥＬが互いに交差又は最隣接する箇所どうしを繋ぐ辺のところに形成される。このような辺を形成する圧搾部の長さが長いため、尿のような液体が拡散し易くなり、吸収体全体で尿を吸収しやすくなる。
【００６７】
互いに隣接する圧搾ラインＥＬのうちの少なくとも一方は、互いに交差又は最隣接する箇所に設けられた第１圧搾部８０ａと、互いに交差又は最隣接する箇所以外の箇所に設けられた第２圧搾部８０ｂと、を有している。すなわち、第１圧搾部８０ａは、セル４６を取り囲む圧搾ラインＥＬの頂点に位置する。本実施形態では、第１圧搾部８０ａは、第１非圧搾部８６ａに隣接している。第２圧搾部８０ｂは、セル４６を取り囲む圧搾ラインＥＬの辺に位置する。
【００６８】
この場合、第１圧搾部８０ａの深さは、第２圧搾部８０ｂの深さよりも深いことが好ましい。より具体的には、セル４６を取り囲む圧搾ラインＥＬの頂点の位置における第１圧搾部８０ａの深さは、セル４６を取り囲む圧搾ラインＥＬの辺に位置する第２圧搾部８０ｂの深さよりも深い。互いに交差又は最隣接する箇所に設けられた第１圧搾部８０ａの深さを深くすることにより、圧搾部８０の視認性を向上させることができる。また、互いに交差又は最隣接する箇所以外の箇所に設けられた第２圧搾部８０ｂの深さを浅くすることで、肌触りの低下を抑制することができる。
【００６９】
各々の圧搾ラインＥＬにおいて、圧搾部８０と非圧搾部８６との境界線８７は、幅方向Ｗに関して傾斜していることが好ましい。圧搾部８０と非圧搾部８６との境界線８７は、その剛性差により吸収体４０の折り基点になりやすい。したがって、圧搾部８０と非圧搾部８６との境界線８７が幅方向Ｗに関して傾斜していると、幅方向Ｗに沿った折り基点は形成されにくい。そのため、吸収体４０に幅方向Ｗの皺がより形成されにくくなる。
【００７０】
（３）第２実施形態
次に、第２実施形態に係る吸収性物品について説明する。以下において第１実施形態と同様な構成については、その説明を省略することがある。第２実施形態では、吸収体４０に形成された圧搾ラインＥＬのパターンが第１実施形態と異なっている。
【００７１】
図５は、第２実施形態に係る圧搾ラインＥＬのパターンを示す模式図である。第２実施形態において、圧搾ラインＥＬのパターンは、第１実施形態とほぼ同様である。ただし、圧搾ラインＥＬを構成する圧搾部８０の長さと非圧搾部８６の長さは、第１実施形態と異なっている。
【００７２】
第２実施形態では、各々の圧搾ラインＥＬに沿った非圧搾部８６の長さＬ１は、圧搾ラインＥＬに交差する方向における圧搾部の幅Ｗ１以上である。これにより、圧搾ラインＥＬに交差する方向において圧搾ラインＥＬのところで吸収体４０が湾曲しやすくなる。したがって、体にフィットするよう吸収体４０が曲がりやすく、肌触りが向上する。
【００７３】
また、互いに隣接する圧搾ラインＥＬにおける非圧搾部８６どうしの前後方向Ｌにおける距離Ｌ２は、それぞれの非圧搾部８６の圧搾ラインＥＬに沿った長さＬ１のうち長い方よりも短い。非圧搾部８６どうしの前後方向Ｌにおける距離Ｌ２が短いため、非圧搾部８６どうしの間で、幅方向Ｗにおける吸収体４０の緊張状態が緩む。すなわち、各セル４６において、コアラップ４０ｂが吸収コア４０ａを押さえつける力が緩和される。これにより、吸収体４０が硬くなり過ぎることを抑制することができ、肌触りが向上する。
【００７４】
（４）第３実施形態
次に、第３実施形態に係る吸収性物品について説明する。以下において第１実施形態と同様な構成については、その説明を省略することがある。第３実施形態では、吸収体４０に形成された圧搾ラインＥＬのパターンが第１実施形態と異なっている。
【００７５】
図６は、第３実施形態に係る圧搾ラインＥＬのパターンを示す模式図である。本実施形態では、複数の圧搾ラインＥＬは、前後方向Ｌ沿って延びており、幅方向に屈曲した波形に形成されている。すなわち、圧搾ラインＥＬは、前後方向Ｌに延びる仮想線から最も近い位置で幅方向にジグザグしながら前後方向Ｌに延びている。互いに隣接する圧搾ラインＥＬの波形の位相は、互いに１８０°ずれている。これにより、各々のセル４６は、互いに隣接する圧搾ラインＥＬによって、略正方形状に形成されている。
【００７６】
各々の圧搾ラインＥＬは、交互に並んだ圧搾部８０と非圧搾部８６とを含む。ある圧搾ラインＥＬと、隣接する圧搾ラインＥＬとは、最も近づいたところで互いに交差しており、互いに交差する点は圧搾部８０となっている。このセル４６の交点に相当する圧搾部８０に隣接して非圧搾部８６が設けられている。この場合であっても、少なくとも股下域Ｓ２において、非圧搾部８６は、幅方向Ｗから見て、非圧搾部８６が属する圧搾ラインＥＬとは異なる圧搾ラインＥＬの圧搾部８０と重複する位置に設けられることになる。
【００７７】
（５）第４実施形態
次に、第４実施形態に係る吸収性物品について説明する。以下において第１実施形態と同様な構成については、その説明を省略することがある。第４実施形態では、吸収体４０に形成された圧搾ラインＥＬのパターンが第１実施形態と異なっている。
【００７８】
図７は、第４実施形態に係る圧搾ラインＥＬのパターンを示す模式図である。本実施形態では、複数の圧搾ラインＥＬは、前後方向Ｌに沿って延びており、互いに幅方向Ｗに並んでいる。本実施形態では、各々の圧搾ラインＥＬは、幅方向に湾曲した波形に形成されている。ただし、互いに隣接する圧搾ラインＥＬの波形の位相は、ずれていない。図７に示すように、圧搾ラインＥＬは、格子状に形成されていなくてもよい。ただし、少なくとも股下域Ｓ２において、非圧搾部８６は、幅方向Ｗから見て、非圧搾部８６が属する圧搾ラインＥＬとは異なる圧搾ラインＥＬの圧搾部８０と重複する位置に設けられる。
【００７９】
（６）第５実施形態
次に、第５実施形態に係る吸収性物品について説明する。以下において第１実施形態と同様な構成については、その説明を省略することがある。第５実施形態では、吸収体４０に形成された圧搾ラインＥＬのパターンが第１実施形態と異なっている。
【００８０】
図８は、第５実施形態に係る圧搾ラインＥＬのパターンを示す模式図である。本実施形態では、一対の圧搾ラインＥＬが、吸収体４０の幅方向Ｗにおける中心を挟んで両側で、前後方向Ｌに沿って延びている。このような圧搾ラインＥＬのパターンでは、吸収体４０が使用者の両脚に挟まれることにより、一対の圧搾ラインＥＬの間に位置する吸収体４０が肌面側に向かって凸状に変形し易くなる。これにより、吸収体４０が使用者の股下にフィットしやすい。このような圧搾ラインＥＬのパターンは、生理用ナプキン用の吸収体４０として好適に用いられる。
【００８１】
また、図８に示す圧搾ラインＥＬのパターンの他に、圧搾ラインＥＬは、記号又は図柄のようなパターンを構成していてもよい。この場合であっても、非圧搾部８６は、幅方向Ｗから見て、非圧搾部８６が属する圧搾ラインＥＬとは異なる圧搾ラインＥＬの圧搾部８０と重複する位置に設けられることに留意されたい。
【００８２】
（７）第６実施形態
次に、第６実施形態に係る吸収性物品について説明する。以下において第１実施形態と同様な構成については、その説明を省略することがある。第６実施形態では、吸収体４０に形成された圧搾ラインＥＬのパターンが第１実施形態と異なっている。
【００８３】
図９は、第６実施形態に係る圧搾ラインＥＬのパターンを示す模式図である。本実施形態では、複数の圧搾ラインＥＬは、前後方向Ｌ沿って延びており、幅方向に湾曲した波形に形成されている。すなわち、圧搾ラインＥＬは、前後方向Ｌに延びる仮想線から最も近い位置で幅方向に波状に湾曲しながら前後方向Ｌに延びている。互いに隣接する圧搾ラインＥＬの波形の位相は互いに１８０°ずれており、互いに隣接する圧搾ラインＥＬどうしが最も近づく点どうしが幅方向Ｗに沿った圧搾部で連結されている。この場合であっても、少なくとも股下域Ｓ２において、非圧搾部８６は、幅方向Ｗから見て、非圧搾部８６が属する圧搾ラインＥＬとは異なる圧搾ラインＥＬの圧搾部８０と重複する位置に設けられている。
【００８４】
（８）第７実施形態
次に、第７実施形態に係る吸収性物品について説明する。以下において第１実施形態と同様な構成については、その説明を省略することがある。
【００８５】
図１０は、第７実施形態に係る圧搾ラインＥＬのパターンを示す模式図である。本実施形態では、圧搾ラインＥＬのパターンは、実質的に第１実施形態と同様である。ただし、圧搾ラインＥＬにおける非圧搾部８６の位置が第１実施形態と異なっている。
【００８６】
第７実施形態においても、少なくとも股下域Ｓ２において、非圧搾部８６は、幅方向Ｗから見て、非圧搾部８６が属する圧搾ラインＥＬとは異なる圧搾ラインＥＬの圧搾部８０と重複する位置に設けられている。ここで、第７実施形態のように、非圧搾部８６の少なくとも一部が、幅方向Ｗから見て圧搾部８０と重複する位置に設けられていてもよい。この場合であっても、幅方向Ｗに沿った折り基点が形成され難くなるため、幅方向Ｗに沿った皺の形成を抑制することができる。ただし、幅方向に沿った皺をより形成しにくくするという観点からは、第１実施形態に示すように、非圧搾部８６全体が、幅方向Ｗから見て圧搾部８０と重複する位置に設けられていることが好ましい。
【００８７】
（９）その他の形態
上述したように、実施形態を通じて本発明の内容を開示したが、この開示の一部をなす論述及び図面は、本発明を限定するものであると理解すべきではない。この開示から当業者には様々な代替の実施形態、実施例及び運用技術が明らかとなる。したがって、本発明の技術的範囲は、上述の説明から妥当な特許請求の範囲に係る発明特定事項によってのみ定められるものである。
【００８８】
例えば、上記実施形態で説明した各特徴は、可能な限り組み合わせ及び／又は置き換え可能である。
【産業上の利用可能性】
【００８９】
上記態様によれば、間欠的に配置された複数の圧搾部を有する吸収体であって、横方向に皺が形成されにくい吸収体を含む吸収性物品を提供することができる。
【符号の説明】
【００９０】
１０    吸収性物品
４０    吸収体
４０ａ  吸収コア
４０ｂ  コアラップ
５０    表面シート
６０    防漏シート
６２    非肌面シート
８０    圧搾部
８０ａ  肌面側圧搾部
８０ｂ  非肌面側圧搾部
【図１】
2020000758.tif 000003
【図２】
2020000758.tif 000004
【図３】
2020000758.tif 000005
【図４】
2020000758.tif 000006
【図５】
2020000758.tif 000007
【図６】
2020000758.tif 000008
【図７】
2020000758.tif 000009
【図８】
2020000758.tif 000010
【図９】
2020000758.tif 000011
【図１０】
2020000758.tif 000012